(57)【要約】【課題】弱視の人による適切な操作を可能にすること。【解決手段】実施形態に係る操作装置は、局部洗浄機能を有する便座装置が備えられたトイレルーム内に設置され、便座装置を操作するための操作装置であって、表示部と、接触検知部と、送信部とを備える。表示部は、便座装置に対する制御指示に関連する複数のオブジェクトを表示する。接触検知部は、表示部に対する使用者の接触を検知する。送信部は、表示部に表示されたオブジェクトへの使用者の接触が接触検知部により検知された場合に、オブジェクトと関連する制御指示により便座装置を操作するための信号を送信する。また、表示部は、複数のオブジェクトのうち、使用者に接触させるオブジェクトを強調するように表示を変更する。【選択図】図３
2020120197.tif 000002
【特許請求の範囲】
【請求項１】
局部洗浄機能を有する便座装置が備えられたトイレルーム内に設置され、前記便座装置を操作するための操作装置であって、
前記操作装置は、
前記便座装置に対する制御指示に関連する複数のオブジェクトを表示する表示部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
を備え、
前記表示部は、
前記複数のオブジェクトのうち、前記使用者に接触させるオブジェクトを強調するように表示を変更することを特徴とする操作装置。
【請求項２】
前記表示部は、
前記表示部に表示された第１オブジェクトへの前記使用者の接触が前記接触検知部により検知された場合に、前記第１オブジェクトの次に前記使用者に接触させる第２オブジェクトを強調するように表示を変更することを特徴とする請求項１に記載の操作装置。
【請求項３】
局部洗浄機能を有する便座装置が備えられたトイレルーム内に設置され、前記便座装置を操作するための操作装置であって、
前記操作装置は、
前記便座装置に対する制御指示に関連する複数のオブジェクトを表示する表示部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
を備え、
前記送信部は、
前記表示部に表示された第１オブジェクトへの前記使用者の接触が前記接触検知部により検知された場合に、前記第１オブジェクトの次に前記使用者に接触させる第２オブジェクトに関連する前記制御指示以外の前記信号を送信しないことを特徴とする操作装置。
【請求項４】
前記送信部は、
前記表示部に表示された第１オブジェクトへの前記使用者の接触が前記接触検知部により検知された後に、前記第１オブジェクトの次に前記使用者に接触させる第２オブジェクト以外の第３オブジェクトへの前記使用者の接触が前記接触検知部により検知された場合に、前記第３オブジェクトに関連する前記制御指示の前記信号を送信しないことを特徴とする請求項３に記載の操作装置。
【請求項５】
局部洗浄機能を有する便座装置が備えられたトイレルーム内に設置され、前記便座装置を操作するための操作装置であって、
前記操作装置は、
前記便座装置に対する制御指示に関連する複数のオブジェクトを表示する表示部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
を備え、
前記表示部は、
前記複数のオブジェクトのうち、第１オブジェクトへの前記使用者の接触が前記接触検知部により検知された場合に、前記第１オブジェクトの次に前記使用者に接触させる第２オブジェクト以外の第３オブジェクトを他のオブジェクトに比して透明度が高く表示することを特徴とする操作装置。
【請求項６】
前記表示部は、
前記第３オブジェクトを表示しないことを特徴とする請求項５に記載の操作装置。
【発明の詳細な説明】
【技術分野】
【０００１】
開示の実施形態は、操作装置に関する。
【背景技術】
【０００２】
従来、トイレルームに設置された局部洗浄機能を有する便座装置を操作するためのタッチパネル式の装置が知られている（例えば、特許文献１、特許文献２参照）。
【０００３】
このような、タッチパネル式の装置は、その装置の画面に表示されたオブジェクトに使用者が触れたことを感知し、そのオブジェクトに関連する制御指示を便座装置に実行させる。
【先行技術文献】
【特許文献】
【０００４】
【特許文献１】特開平１０−１１０４５８号公報
【特許文献２】特開２００８−００２１５１号公報
【特許文献３】登録実用新案第３０９７７９１号公報
【発明の概要】
【発明が解決しようとする課題】
【０００５】
しかしながら、タッチパネル式の装置の場合、弱視の人等の視覚障害者が操作することが難しいといった問題がある。例えば、操作装置の表示部（表示面）に表示されるオブジェクトを視覚によって僅かに認識することができるものの、ぼやけて見えてしまうことによって各オブジェクトの区別がつかない弱視の人にとって、タッチパネル式の操作装置を使用して便座装置を操作する場合、スムーズに所望の制御を実行することができなかった。このため、タッチパネル式の装置においては、弱視の人等の視覚障害者による適切な操作を可能にすることが課題となる。
【０００６】
開示の実施形態は、弱視の人による適切な操作を可能にすることができる操作装置を提供することを目的とする。
【課題を解決するための手段】
【０００７】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連する複数のオブジェクトを表示する表示部と、前記表示部に対する使用者の接触を検知する接触検知部と、前記表示部に表示されたオブジェクトへの前記使用者の接触が前記接触検知部により検知された場合に、前記オブジェクトと関連する前記制御指示により前記便座装置を操作するための信号を送信する送信部と、を備え、前記表示部は、前記複数のオブジェクトのうち、前記使用者に接触させるオブジェクトを強調するように表示を変更することを特徴とする。
【０００８】
実施形態の一態様に係る操作装置によれば、表示部（表示面）に表示された複数のオブジェクトのうち、前記使用者に接触させるオブジェクトを強調するように表示する。例えば、使用者が使用者の局部に対して吐水を開始する前であれば、局部吐水を開始する吐水開始オブジェクトの色や大きさが変更されたり、他のオブジェクトが透明度を高めて表示されたり、非表示になったりすることで、吐水開始オブジェクトが強調される。これによって、表示部（表示面）上に表示されるオブジェクトを僅かにしか認識することができない弱視の人であったとしても、接触するべきオブジェクトの位置を容易に把握することが可能となる。したがって、常に音声案内装置を用いずとも、従来よりも弱視の人が便座装置をスムーズに操作することが可能であり、且つ健常者の使用感も損ねることが無いタッチパネル式の操作装置を提供することが可能となる。
【０００９】
実施形態の一態様に係る操作装置において、前記表示部は、前記表示部に表示された第１オブジェクトへの前記使用者の接触が前記接触検知部により検知された場合に、前記第１オブジェクトの次に前記使用者に接触させる第２オブジェクトを強調するように表示を変更することを特徴とする。
【００１０】
このように、使用者が表示部（表示面）上のオブジェクトに接触したことをタッチセンサが検知したとき、そのオブジェクトの次に接触されるべきオブジェクトを強調するように、表示部（表示面）の表示が変更される。例えば、使用者が使用者の局部に対して吐水を開始する制御指示に関連するオブジェクトに接触した場合、表示部（表示面）上に吐水の水勢を調節する制御指示に関連する新たなオブジェクトが出現したり、そのオブジェクトの色や大きさが変更されたりすることで強調される。これによって、表示部（表示面）上に表示されるオブジェクトを僅かにしか認識することができない弱視の人であったとしても、次に接触するべきオブジェクトの位置を容易に把握することが可能となる。したがって、常に音声案内装置を用いずとも、従来よりも弱視の人が便座装置をスムーズに操作することが可能であり、且つ健常者の使用感も損ねることが無いタッチパネル式の操作装置を提供することが可能となる。
【００１１】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連する複数のオブジェクトを表示する表示部と、前記表示部に対する使用者の接触を検知する接触検知部と、前記表示部に表示されたオブジェクトへの前記使用者の接触が前記接触検知部により検知された場合に、前記オブジェクトと関連する前記制御指示により前記便座装置を操作するための信号を送信する送信部と、を備え、前記送信部は、前記表示部に表示された第１オブジェクトへの前記使用者の接触が前記接触検知部により検知された場合に、前記第１オブジェクトの次に前記使用者に接触させる第２オブジェクトに関連する前記制御指示以外の前記信号を送信しないことを特徴とする。
【００１２】
実施形態の一態様に係る操作装置によれば、使用者が表示部（表示面）上のオブジェクトに接触したことをタッチセンサが検知したとき、そのオブジェクトの次に接触されるべきオブジェクトに関連する制御指示以外の信号を便座装置に送信しない。これによって、表示部（表示面）上に表示されるオブジェクトを僅かにしか認識することができない弱視の人であったとしても、次に接触するべきオブジェクトに接触しない限り制御が実行されないため、従来よりも所望の制御をスムーズに実行することが可能なタッチパネル式の操作装置を提供することが可能となる。したがって、常に音声案内装置を用いずとも、従来よりも弱視の人が便座装置をスムーズに操作することが可能であり、且つ健常者の使用感も損ねることが無いタッチパネル式の操作装置を提供することが可能となる。
【００１３】
実施形態の一態様に係る操作装置において、前記送信部は、前記表示部に表示された第１オブジェクトへの前記使用者の接触が前記接触検知部により検知された後に、前記第１オブジェクトの次に前記使用者に接触させる第２オブジェクト以外の第３オブジェクトへの前記使用者の接触が前記接触検知部により検知された場合に、前記第３オブジェクトに関連する前記制御指示の前記信号を送信しないことを特徴とする。
【００１４】
このように、第１オブジェクトの次に使用者に接触させる第２オブジェクト以外の第３オブジェクトに使用者が接触した場合に、第３オブジェクトに関連する制御指示の信号を送信しない。これによって、表示部（表示面）上に表示されるオブジェクトを僅かにしか認識することができない弱視の人であったとしても、次に接触するべきオブジェクトに接触しない限り制御が実行されないため、従来よりも所望の制御をスムーズに実行することが可能なタッチパネル式の操作装置を提供することが可能となる。したがって、常に音声案内装置を用いずとも、従来よりも弱視の人が便座装置をスムーズに操作することが可能であり、且つ健常者の使用感も損ねることが無いタッチパネル式の操作装置を提供することが可能となる。
【００１５】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連する複数のオブジェクトを表示する表示部と、前記表示部に対する使用者の接触を検知する接触検知部と、前記表示部に表示されたオブジェクトへの前記使用者の接触が前記接触検知部により検知された場合に、前記オブジェクトと関連する前記制御指示により前記便座装置を操作するための信号を送信する送信部と、を備え、前記表示部は、前記複数のオブジェクトのうち、第１オブジェクトへの前記使用者の接触が前記接触検知部により検知された場合に、前記第１オブジェクトの次に前記使用者に接触させる第２オブジェクト以外の第３オブジェクトを他のオブジェクトに比して透明度が高く表示することを特徴とする。
【００１６】
実施形態の一態様に係る操作装置によれば、使用者が表示部（表示面）上のオブジェクトに接触したことをタッチセンサが検知したとき、そのオブジェクトの次に接触されるべきではないオブジェクトの透明度が高くなるように変更される。これによって、表示部（表示面）上に表示されるオブジェクトを僅かにしか認識することができない弱視の人は、次に接触するべきオブジェクトに自然と誘導されるため、従来よりも所望の制御をスムーズに実行することが可能なタッチパネル式の操作装置を提供することが可能となる。したがって、常に音声案内装置を用いずとも、従来よりも弱視の人が便座装置をスムーズに操作することが可能であり、且つ健常者の使用感も損ねることが無いタッチパネル式の操作装置を提供することが可能となる。
【００１７】
実施形態の一態様に係る操作装置において、前記表示部は、前記第３オブジェクトを表示しないことを特徴とする。
【００１８】
このように、使用者が表示部（表示面）上のオブジェクトに接触したことをタッチセンサが検知したとき、そのオブジェクトの次に接触されるべきではないオブジェクトを非表示にする。これによって、表示部（表示面）上に表示されるオブジェクトを僅かにしか認識することができない弱視の人は、次に接触するべきオブジェクトに自然と誘導されるため、従来よりも所望の制御をスムーズに実行することが可能なタッチパネル式の操作装置を提供することが可能となる。したがって、常に音声案内装置を用いずとも、従来よりも弱視の人が便座装置をスムーズに操作することが可能であり、且つ健常者の使用感も損ねることが無いタッチパネル式の操作装置を提供することが可能となる。
【発明の効果】
【００１９】
実施形態の一態様によれば、弱視の人による適切な操作を可能にすることができる。
【図面の簡単な説明】
【００２０】
【図１】図１は、実施形態に係る操作装置の一例を示す図である。
【図２】図２は、実施形態に係るトイレシステムの外観構成の一例を示す模式斜視図である。
【図３】図３は、トイレシステムの構成の一例を示すブロック図である。
【図４】図４は、便座装置の機能構成の一例を示すブロック図である。
【図５】図５は、操作装置が実行する処理の手順の一例を示すフローチャートである。
【図６】図６は、操作装置の第１オブジェクトの表示態様の変更一例を示す図である。
【図７】図７は、操作装置の表示するオブジェクトの変更の一例を示す図である。
【図８】図８は、操作装置の第２オブジェクトの表示の一例を示す図である。
【図９】図９は、操作装置の複数のオブジェクトの強調表示の一例を示す図である。
【図１０】図１０は、便座装置の他の構成の一例を示すブロック図である。
【図１１】図１１は、トイレシステムが実行する処理の手順の一例を示すフローチャートである。
【図１２】図１２は、操作装置が実行する画面遷移の一例を示す図である。
【図１３】図１３は、操作装置が実行する機能説明の処理の手順の一例を示すフローチャートである。
【図１４】図１４は、操作装置が実行するロック解除における画面遷移の一例を示す図である。
【図１５】図１５は、操作装置が実行するロック解除における画面遷移の他の一例を示す図である。
【発明を実施するための形態】
【００２１】
以下、添付図面を参照して、本願の開示する操作装置の実施形態を詳細に説明する。なお、以下に示す実施形態によりこの発明が限定されるものではない。
【００２２】
＜１．情報処理＞
まず、実施形態に係る操作装置において実行される情報処理の内容について図１を参照して説明する。図１は、実施形態に係る操作装置の一例を示す図である。図１に示す操作装置１０は、局部洗浄機能を有する便座装置２（図２参照）を操作するための情報処理装置である。操作装置１０は、タッチパネルの機能を有するタッチパネル式の操作装置であり、ディスプレイである表示部１３への使用者の接触に応じて操作を受け付ける。また、操作装置１０は、トイレルームＲ（図２参照）等のトイレ室に配置されるが詳細は後述する。
【００２３】
図１の例では、操作装置１０の長手方向を横に向けて使用する表示態様により、操作装置１０の短手方向を上下方向とし、表示部１３の長手方向を左右方向として説明するが、操作装置１０の方向を規定するものではない。なお、図１においては、操作装置１０の表示態様に応じて、操作装置１０−１１、１０−１２として説明するが、特に区別して説明を行う場合以外は、単に「操作装置１０」とする。図１に示すように、操作装置１０は、表示部１３の外周部１３１に沿って枠部１７が設けられる。枠部１７は、表示部１３の周囲を囲むフレームである。なお、図１では、枠部１７と表示部１３との境界を明示し、枠部１７の内側全体が表示部１３であることを明示するために、枠部１７にハッチングを付す。
【００２４】
図１の操作装置１０−１１は、表示部１３に操作画面が表示された状態を示す。具体的には、操作装置１０−１１は、表示部１３にオブジェクトが強調表示される前の操作画面が表示された状態を示す。図１に示す操作画面には、便座装置２の局部洗浄機能に対する制御指示に関連するオブジェクトＯＢ１〜ＯＢ７や広告や機能説明等の種々のコンテンツが表示される情報表示エリアＣＴが含まれる。図１に示すように、操作画面が表示された表示部１３には、上側に情報表示エリアＣＴが配置され、オブジェクトＯＢ１〜ＯＢ７等が下側に配置される。
【００２５】
ここで、オブジェクトＯＢ１は、便座装置２により実行中の制御を止めるためのオブジェクトである。オブジェクトＯＢ２は、便座装置２による局部洗浄の実行を開始するためのオブジェクトである。オブジェクトＯＢ３は、便座装置２に所定の音を出力させるためのオブジェクトである。オブジェクトＯＢ４は、便座装置２のノズル部６（図２参照）を除菌水で殺菌する殺菌処理を行うためのオブジェクトである。
【００２６】
オブジェクトＯＢ５は、便座装置２による局部洗浄時の吐水の勢いを調整するためのオブジェクトである。オブジェクトＯＢ６は、便座装置２が出力する音の音量を調整するためのオブジェクトである。オブジェクトＯＢ７は、トイレの利用に関する情報を操作装置１０に表示したり音声出力したりする際の言語を選択するためのオブジェクトである。
【００２７】
オブジェクトＯＢ２〜ＯＢ４の右下に配置された機能説明オブジェクトＩＯ２〜ＩＯ４は、対応するオブジェクトの機能の説明を行うためのオブジェクトである。例えば、機能説明オブジェクトＩＯ２に使用者が接触した場合、情報表示エリアＣＴにオブジェクトＯＢ２に関する機能説明のコンテンツが表示される。
【００２８】
操作装置１０は、表示部１３に表示されたオブジェクトＯＢ１に使用者が接触したことを検知した場合、実行中の制御を便座装置２に止めさせるための信号を便座装置２へ送信する。また、操作装置１０は、表示部１３に表示されたオブジェクトＯＢ２に使用者が接触したことを検知した場合、局部洗浄の実行を便座装置２に開始させるための信号を便座装置２へ送信する。また、操作装置１０は、表示部１３に表示されたオブジェクトＯＢ３に使用者が接触したことを検知した場合、トイレの音消し用等の所定の音を便座装置２に出力させるための信号を便座装置２へ送信する。また、操作装置１０は、表示部１３に表示されたオブジェクトＯＢ４に使用者が接触したことを検知した場合、ノズル部６の殺菌処理を便座装置２に実行させるための信号を便座装置２へ送信する。
【００２９】
また、操作装置１０は、表示部１３に表示されたオブジェクトＯＢ５に使用者が接触したことを検知した場合、局部洗浄時の吐水の勢いを調整するための信号を便座装置２へ送信する。例えば、操作装置１０は、オブジェクトＯＢ５の「＋」が表示された部分に使用者が接触したことを検知した場合、局部洗浄時の吐水の勢いを強めるための信号を便座装置２へ送信する。また、例えば、操作装置１０は、オブジェクトＯＢ５の「−」が表示された部分に使用者が接触したことを検知した場合、局部洗浄時の吐水の勢いを弱めるための信号を便座装置２へ送信する。
【００３０】
また、操作装置１０は、表示部１３に表示されたオブジェクトＯＢ６に使用者が接触したことを検知した場合、出力する音の音量を調整するための信号を便座装置２へ送信する。例えば、操作装置１０は、オブジェクトＯＢ６の「＋」が表示された部分に使用者が接触したことを検知した場合、出力する音の音量を強めるための信号を便座装置２へ送信する。また、例えば、操作装置１０は、オブジェクトＯＢ６の「−」が表示された部分に使用者が接触したことを検知した場合、出力する音の音量を弱めるための信号を便座装置２へ送信する。例えば、操作装置１０は、オブジェクトＯＢ１〜ＯＢ７の範囲を示す情報を記憶部１４（図３参照）に記憶し、使用者の接触位置との比較に基づいて、使用者がオブジェクトＯＢ１〜ＯＢ７に接触したかを判定する。
【００３１】
ここから、オブジェクトの強調表示について説明する。図１に示す操作装置１０−１１は、オブジェクトＯＢ２への使用者の接触を検知する（ステップＳ１１）。例えば、操作装置１０は、使用者によるタップ操作を、使用者によるオブジェクトＯＢ２の選択（接触）として検知する。なお、操作装置１０は、タップ操作に限らず、ダブルタップ、ドラッグ、スワイプ、フリック、ピンチ、ロングタップ等の種々の操作を、使用者によるオブジェクトの選択（接触）として検知してもよい。
【００３２】
これにより、操作装置１０は、局部洗浄の実行を便座装置２に開始させるための信号を便座装置２へ送信する。そして、信号を受信した便座装置２は、局部洗浄の実行を開始する。
【００３３】
また、操作装置１０は、表示を変更する（ステップＳ１２）。操作装置１０は、接触された第１オブジェクトであるオブジェクトＯＢ２の次に、使用者に接触させる第２オブジェクトを強調するように表示を変更する。例えば、操作装置１０は、局部洗浄を開始するオブジェクトＯＢ２が使用者に選択されたため、次に使用者に接触させる第２オブジェクトとして局部洗浄を停止するオブジェクトＯＢ１を強調するように表示を変更する。
【００３４】
図１の例では、操作装置１０は、操作装置１０−１１の操作画面（強調表示前操作画面）から、操作装置１０−１２の操作画面（強調表示後操作画面）に表示を変更する。例えば、強調表示後操作画面を表示する操作装置１０−１２は、オブジェクトＯＢ１を他のオブジェクトＯＢ２〜ＯＢ７とは異なる色で表示するように表示を変更する。例えば、強調表示後操作画面を表示する操作装置１０−１２は、オブジェクトＯＢ１を赤色で表示し、他のオブジェクトＯＢ２〜ＯＢ７を通常の色（例えば赤以外の色である白など）で表示する。図１の例では、オブジェクトＯＢ２の次に使用者に接触させる第２オブジェクトがオブジェクトＯＢ１の１個のみである場合示すが、第２オブジェクトは１個に限らず、複数あってもよいが、この点についての詳細は後述する。
【００３５】
なお、対象となるオブジェクトの強調表示は、対象となるオブジェクトの色を変更する以外にも、強調表示の対象となるオブジェクトを点滅させたり、サイズを大きくしたり、他のオブジェクトよりも強調される態様であれば適宜の手段により実現されてもよい。操作画面が表示された表示部１３は、オブジェクトＯＢ１〜ＯＢ７の周囲には余白部ＢＳを有するため、強調表示の対象となるオブジェクトを拡大して表示してもよい。また、対象となるオブジェクトの強調表示は、対象となるオブジェクトの表示態様を変更することに限らず、他のオブジェクトの表示態様を変更することにより、相対的に対象となるオブジェクトを強調表示してもよい。例えば、操作装置１０は、対象となるオブジェクト以外の他のオブジェクトの透明度を高くしたり、非表示にしたりすることにより、対象となるオブジェクトを強調表示してもよい。例えば、操作装置１０は、対象となるオブジェクト以外の他のオブジェクトの色を変更したり、サイズを小さくしたりすることにより、対象となるオブジェクトを強調表示してもよい。
【００３６】
操作装置１０は、オブジェクトＯＢ２の次に、強調表示した第２オブジェクトであるオブジェクトＯＢ１に使用者が接触した場合、接触したオブジェクトＯＢ１に対応する制御指示の信号を便座装置２に送信する。一方で、操作装置１０は、オブジェクトＯＢ２の次に第２オブジェクトであるオブジェクトＯＢ１以外のオブジェクト（第３オブジェクト）に使用者が接触した場合、接触したオブジェクトに対応する制御指示の信号を便座装置２に送信しない。例えば、操作装置１０は、オブジェクトＯＢ２の次に第２オブジェクトであるオブジェクトＯＢ１以外の第３オブジェクトであるオブジェクトＯＢ４に使用者が接触した場合、接触したオブジェクトＯＢ４に対応する制御指示の信号を便座装置２に送信しない。
【００３７】
このように、操作装置１０は、第１オブジェクトへの使用者の接触に応じて、第１オブジェクトの次に使用者に接触させる第２オブジェクトを強調するように表示を変更することにより、弱視の人による適切な操作を可能にすることができる。例えば、操作装置１０は、第１オブジェクトへの使用者の接触に応じて、何ら表示態様を変更しない場合に比べて、第２オブジェクトを強調することにより、使用者の意識を強調表示した対象オブジェクトへと向けさせることができるため、弱視の人による適切な操作を可能にすることができる。また、操作装置１０は、弱視の人に限らず、視覚障害者以外の人等の種々の人にとっても便座装置２をスムーズに操作することを可能にする。例えば、操作装置１０は、老眼の人（高齢者）や近眼の人等の視認能力に何らかの不具合がある人にとっても便座装置２をスムーズに操作することを可能にする。
【００３８】
例えば、操作装置の表示部（表示面）上に点字を設けたとしても、所望の制御に対応する点字を見つけるまでに表示部に触れなければならず、視覚障害者の人が装置を誤操作する可能性を低減することが難しい。また、トイレルーム内は、プライベート空間であるが故に周りにサポートしてくれる方がいないという事に加え、トイレルーム内に設置される操作装置１０の表示部に表示されるオブジェクトのレイアウトが各トイレルームで統一されていないため、弱視の人による適切な操作を可能にすることが難しい。
【００３９】
一方で、操作装置１０は、第１オブジェクトへの使用者の接触に応じて、第１オブジェクトの次に使用者に接触させる第２オブジェクトを強調するように表示を変更することにより、表示部に表示されるオブジェクトを精確（正確）に視認することができない弱視の人であっても、次に接触されるべきオブジェクトを認識することができる。これにより、操作装置１０は、弱視の人による適切な操作を可能にすることができる。
【００４０】
また、例えば、弱視の人を含む視覚障害者の利便性向上のために、トイレルーム内に設けられたスイッチを操作することによりトイレルーム内の機器の位置、および操作方法を音声にて案内を行う音声案内装置が知られている（たとえば特許文献３参照）。この場合、音声案内にはスイッチの操作が必要であるため、スイッチの位置を視覚によって認識することが容易ではない弱視の人には利便性が高いとは言い難い。また、人体検知センサによる人の検知に応じて音声案内を行うことは、健常者に対しても音声案内が出力されるため、トイレルーム内での自分の操作を他人に聞かれたくない健常者にとって使用感を損ねてしまうため、採用することは困難である。一方で、操作装置１０によれば、常に音声案内を行わずとも、従来よりも弱視の人が便座装置をスムーズに操作することが可能であり、かつ健常者の使用感も損ねないタッチパネル式の操作装置を提供することができる。
【００４１】
なお、操作装置１０は、上記のような表示部１３による表示や操作の受付け等の処理を所定のアプリケーションにより実現してもよい。また、操作装置１０は、所定のソフトウェアアプリケーション上で実行されるスクリプトを取得し、取得したスクリプト等の制御情報により、上記のような情報表示や操作受付等の情報処理を実行してもよい。例えば、制御情報は、実施形態に係る操作装置１０による情報表示や操作受付等の情報処理を実現するプログラムに対応するものであり、例えば、ＣＳＳ（Cascading  Style  Sheets）、ＪａｖａＳｃｒｉｐｔ（登録商標）、ＨＴＭＬ（Hyper  Text  Markup  Language）、あるいは、上述した操作装置１０による情報表示や操作受付等の情報処理を記述可能な任意の言語によって実現される。
【００４２】
＜２．トイレシステムの外観構成＞
次に、実施形態に係るトイレシステムの外観構成について図２を参照して説明する。図２は、実施形態に係るトイレシステムの外観構成の一例を示す模式斜視図である。
【００４３】
図２に示すように、トイレシステム１は、便座装置２と、操作装置１０とを備える。図２に示すように、トイレルームＲには、床面Ｆに、洋式大便器（以下「便器」と記載する）７が設置されており、便座装置２は、便器７に沿って設けられる。
【００４４】
便器７は、例えば、陶器製である。便器７には、ボウル部８が形成される。ボウル部８は、下方に凹んだ形状であり、使用者の排泄物を受ける部位である。なお、便器７は、図示のような床置き式に限らず、トイレシステム１を適用可能であれば、どのような形式でもよく、壁掛け式等のような形式であってもよい。便器７には、ボウル部８が臨む開口の端部の全周にわたってリム部９が設けられる。トイレルームＲには、例えば、便器７付近に洗浄水を貯留する洗浄水タンクが設置されてもよいし、洗浄水タンクが設置されない、いわゆるタンクレス式でもよい。
【００４５】
例えば、トイレルームＲに設けられた洗浄用の洗浄操作部（図示省略）が使用者により操作されると、便器７のボウル部８への洗浄水の供給による便器洗浄が実施される。洗浄操作部は操作レバーや、操作装置１０に表示された便器洗浄オブジェクトに対するタッチ操作であってもよい。なお、洗浄操作部は、操作レバーなどのような使用者の手動によって便器洗浄を実施させるものに限らず、着座センサのような使用者を検知するセンサの人体検知によって便器洗浄を実施させるものでもよい。
【００４６】
便座装置２は、便器７の上部に取り付けられ、本体部３と、便蓋４と、着座部５と、ノズル部６とを備える。なお、便座装置２は、便器７に対して着脱可能に取り付けられてもよいし、便器７と一体化するように取り付けられてもよい。
【００４７】
図２に示すように、着座部５は、いわゆる便座であり、中央に開口を有する環状に形成され、リム部９に沿って、便器７の開口に重なる位置に配置される。そして、着座部５は、着座した使用者の臀部を支持する。また、図２に示すように、便蓋４及び着座部５は、それぞれの一端部が本体部３に軸支され、本体部３の軸支部分を中心として回動可能（開閉可能）に取り付けられる。なお、便蓋４は、便座装置２に必要に応じて取り付けられ、便座装置２は、便蓋４を有しなくてもよい。
【００４８】
ノズル部６は、局部洗浄用のノズルである。ノズル部６は、図示しない電動モータなどの駆動源の駆動により、本体部３の筐体に対して進退可能に構成される。また、ノズル部６は、図示しない水道管などの水源に接続される。そして、ノズル部６は、図２に示すように、本体部３の筐体に対して進出した位置にあるときに、水源からの水を使用者の身体へ噴出させて局部を洗浄する。
【００４９】
操作装置１０は、トイレルームＲ内に設けられる。操作装置１０は、使用者が操作可能な位置に設けられる。操作装置１０は、使用者が着座部５に着座時において、操作可能な位置に設けられる。図２に示す例において、操作装置１０は、着座部５に着座した使用者から見て右側方の壁面Ｗに配置される。なお、操作装置１０は、着座部５に着座した使用者が利用可能であれば、壁面に限らず、種々の態様により配置されてもよい。例えば、操作装置１０は、便座装置２と一体に設けられてもよいが、この点については後述する。
【００５０】
＜３．トイレシステムの構成及び操作装置の機能構成＞
次に、トイレシステム１の構成及び操作装置１０の機能構成について図３を参照して説明する。図３は、トイレシステムの構成の一例を示すブロック図である。具体的には、図３は、トイレシステム１の構成及びトイレシステム１に含まれる操作装置１０の機能構成を示す。トイレシステム１は、便座装置２と、操作装置１０とが含まれる。
【００５１】
便座装置２と、操作装置１０とは所定のネットワークＮを介して、有線または無線により通信可能に接続される。例えば、便座装置２と操作装置１０とは、情報の送受信が可能であれば、どのような接続であってもよく、有線により通信可能に接続されてもよいし、無線により通信可能に接続されてもよい。
【００５２】
トイレシステム１に、音声出力装置５０が含まれる場合、例えば、音声出力装置５０はトイレルームＲ内に設けられる。例えば、操作装置１０や便座装置２が音声案内を行う機能を有していてもよい。なお、図３では、音声出力装置５０を図示するが、トイレシステム１には、音声出力装置５０が含まれなくてもよい。例えば、音声出力装置５０は、便座装置２と、操作装置１０と所定のネットワークＮを介して、有線または無線により通信可能に接続され、トイレルームＲ内に音声を出力する便座装置２や操作装置１０とは異なる構成であってもよい。
【００５３】
まず、操作装置１０の構成について説明する。図３に示すように、操作装置１０は、通信部１１と、入力部１２と、表示部１３と、記憶部１４と、制御部１５と、接触検知部１６と、枠部１７（図１参照）とを有する。
【００５４】
通信部１１は、例えば、通信回路等によって実現される。そして、通信部１１は、所定のネットワークＮと有線または無線で接続され、外部の情報処理装置との間で情報の送受信を行う。例えば、通信部１１は、ネットワークＮと有線または無線で接続され、便座装置２や音声出力装置５０との間で情報の送受信を行う。
【００５５】
入力部１２は、使用者から各種操作が入力される。入力部１２は、タッチパネル機能により表示面（例えば表示部１３）を介して使用者からの各種操作を受け付ける。また、入力部１２は、操作装置１０に設けられたスイッチやボタン等により各種操作を受け付けてもよい。
【００５６】
入力部１２は、接触検知部１６により実現されるタッチパネルの機能によりタブレット端末等のディスプレイ（表示面、表示画面）を介して使用者から各種操作を受け付ける。すなわち、入力部１２は、操作装置１０の表示部１３を介して使用者から各種操作を受け付ける。例えば、入力部１２は、操作装置１０の表示部１３を介して使用者のオブジェクトの指定操作等の操作を受け付ける。言い換えると、入力部１２は、タッチパネルの機能により使用者の操作を受け付ける受付部として機能する。なお、入力部１２による使用者の操作の検知方式には、タブレット端末では主に静電容量方式が採用されるが、他の検知方式である抵抗膜方式、表面弾性波方式、赤外線方式、電磁誘導方式など、使用者の操作を検知できタッチパネルの機能が実現できればどのような方式を採用してもよい。また、操作装置１０は、操作装置１０にスイッチやボタン等が設けられる場合、スイッチやボタン等による操作も受け付ける入力部を有してもよい。
【００５７】
表示部１３は、例えば液晶ディスプレイや有機ＥＬ（Electro-Luminescence）ディスプレイ等によって実現されるタブレット端末等の表示画面であり、各種情報を表示するための表示装置である。つまり、操作装置１０は、表示部１３である表示画面により使用者の入力を受け付け、使用者への出力も行う。表示部１３は、各種情報を表示する。なお、表示部１３における表示の制御は、表示部１３が行ってもよいし、制御部１５の表示制御部等が行ってもよい。
【００５８】
表示部１３は、便座装置に対する制御指示に関連する複数のオブジェクトを表示する。表表示部１３は、複数のオブジェクトのうち、使用者に接触させるオブジェクトを強調するように表示を変更する。表示部１３は、表示部１３に表示された第１オブジェクトへの使用者の接触が接触検知部により検知された場合に、第１オブジェクトの次に使用者に接触させる第２オブジェクトを強調するように表示を変更する。表示部１３は、複数のオブジェクトのうち、第１オブジェクトへの使用者の接触が接触検知部により検知された場合に、第１オブジェクトの次に使用者に接触させる第２オブジェクト以外の第３オブジェクトを他のオブジェクトに比して透明度が高く表示する。表示部１３は、第３オブジェクトを表示しない。
【００５９】
例えば、表示部１３は、記憶部１４に記憶された情報に基づいて、表示態様を変更する。例えば、表示部１３は、使用者により接触されたオブジェクトを示す情報と、記憶部１４に記憶された一覧情報とを比較することにより、第２オブジェクトを特定し、特定した第２オブジェクトに基づいて、表示態様を変更する。例えば、表示部１３は、使用者により接触されたオブジェクトを示す情報と、記憶部１４に記憶された一覧情報とを比較することにより、第３オブジェクトを特定し、特定した第３オブジェクトに基づいて、表示態様を変更する。例えば、表示部１３は、記憶部１４に記憶された強調表示の方法を示す情報に基づいて、表示態様を変更する。例えば、表示部１３は、記憶部１４に記憶された強調表示の方法が色の変更を示す情報である場合、対象となるオブジェクトの色を変更する。
【００６０】
表示部１３は、使用者によるロック解除の操作を受け付けるロック画面を表示し、使用者による操作に応じたロック解除後において、便座装置に対する制御指示に関連するオブジェクトを表示する。表示部１３は、所定の領域への使用者の接触が検知された場合、所定の領域とは異なる他の領域に、使用者によるロック解除の操作を受け付ける解除オブジェクトを表示する。表示部１３は、トイレルームへの使用者の入室が検知された場合に、使用者による操作を受け付けない他の画面を表示し、入室から所定の期間経過後に、他の画面からロック画面に表示を変更する。
【００６１】
記憶部１４は、例えば、ＲＡＭ（Random  Access  Memory）、フラッシュメモリ（Flash  Memory）等の半導体メモリ素子、または、ハードディスク、光ディスク等の記憶装置によって実現される。記憶部１４は、例えば、操作装置１０にインストールされているアプリケーション（例えばトイレ機器操作用アプリ等）に関する情報、例えばプログラム等を記憶する。記憶部１４は、操作画面等の各種画面に関する情報を記憶する。記憶部１４は、便座装置２を操作するための信号を生成するために用いる情報を記憶する。記憶部１４は、オブジェクトと制御指示とを対応付けた情報を記憶する。
【００６２】
また、記憶部１４は、使用者が指定したオブジェクトに対応する制御指示を行うかを判定するための情報を記憶する。例えば、記憶部１４は、各オブジェクトと次に接触されるべきオブジェクト（第２オブジェクト）との対応関係を示す一覧情報（第２一覧情報）を記憶する。また、例えば、記憶部１４は、各オブジェクトと次に接触されるべきではないオブジェクト（第３オブジェクト）との対応関係を示す一覧情報（第３一覧情報）を記憶する。記憶部１４は、オブジェクトの強調表示の方法を示す情報を記憶する。
【００６３】
制御部１５は、ＣＰＵ（Central  Processing  Unit）やＭＰＵ（Micro  Processing  Unit）等によって、記憶部１４に記憶されているプログラムがＲＡＭを作業領域として実行されることにより実現される。例えば、この各種プログラムは、表示処理や判定処理等の各種情報処理を行うアプリケーション（例えばトイレ機器操作用アプリ等）のプログラムが含まれる。また、制御部１５は、例えば、ＡＳＩＣ（Application  Specific  Integrated  Circuit）やＦＰＧＡ（Field  Programmable  Gate  Array）等の集積回路により実現される。
【００６４】
図３に示すように、制御部１５は、取得部１５１と、判定部１５２と、生成部１５３と、送信部１５４とを有し、以下に説明する判定処理の機能や作用を実現または実行する。なお、制御部１５の内部構成は、図３に示した構成に限られず、後述する判定処理を行う構成であれば他の構成であってもよい。また、制御部１５が有する各処理部の接続関係は、図３に示した接続関係に限られず、他の接続関係であってもよい。
【００６５】
取得部１５１は、各種情報を取得する。例えば、取得部１５１は、外部の情報処理装置から各種情報を取得する。例えば、取得部１５１は、便座装置２や音声出力装置５０から各種情報を取得する。例えば、取得部１５１は、記憶部１４から各種情報を取得する。例えば、取得部１５１は、接触検知部１６により検知されたセンサ情報を取得する。
【００６６】
判定部１５２は、種々の情報を判定する。例えば、判定部１５２は、取得部１５１により取得された各種情報を用いて種々の情報を判定する。例えば、判定部１５２は、記憶部１４に記憶された各種情報を用いて種々の情報を判定する。例えば、判定部１５２は、接触検知部１６により検知されたセンサ情報に基づいて、種々の判定を行う。
【００６７】
例えば、判定部１５２は、センサ情報に基づいて、使用者が接触したオブジェクトを特定する。例えば、判定部１５２は、センサ情報に基づいて、使用者の操作がタップ、ダブルタップ、ドラッグ、スワイプ、フリック、ピンチ、ロングタップ等のいずれの種別の操作であるかを特定する。
【００６８】
生成部１５３は、種々の生成を行なう。例えば、生成部１５３は、制御指示の信号を生成する。例えば、生成部１５３は、便座装置２を操作するための信号を生成する。例えば、生成部１５３は、使用者が接触したオブジェクトと関連する制御指示に対応する信号を生成する。
【００６９】
生成部１５３は、記憶部１４に記憶された情報を用いて、使用者が接触したオブジェクトと関連する制御指示に対応する信号を生成する。生成部１５３は、記憶部１４に記憶されたオブジェクトと制御指示とを対応付けた情報を用いて、便座装置２を操作するための信号を生成する。生成部１５３は、使用者が接触したオブジェクトを示す情報と、記憶部１４に記憶されたオブジェクトと制御指示とを対応付けた情報を用いて、便座装置２を操作するための信号を生成する。
【００７０】
送信部１５４は、種々の情報を送信する。例えば、送信部１５４は、通信部１１を制御することにより、種々の情報を送信する。送信部１５４は、通信部１１を介して、他の装置へ種々の情報を送信する。なお、送信部１５４は、制御部１５ではなく通信部１１に含まれてもよい。送信部１５４は、各種情報を便座装置２や音声出力装置５０へ送信する。送信部１５４は、記憶部１４に記憶された各種情報を他の装置へ送信する。送信部１５４は、取得部１５１により取得された各種情報を他の装置へ送信する。送信部１５４は、判定部１５２により判定された各種情報を他の装置へ送信する。送信部１５４は、生成部１５３により生成された各種情報を他の装置へ送信する。
【００７１】
送信部１５４は、表示部１３に表示されたオブジェクトへの使用者の接触が接触検知部１６により検知された場合に、オブジェクトと関連する制御指示により便座装置２を操作するための信号を送信する。送信部１５４は、表示部１３に表示された第１オブジェクトへの使用者の接触が接触検知部により検知された場合に、第１オブジェクトの次に使用者に接触させる第２オブジェクトに関連する制御指示以外の信号を送信しない。送信部１５４は、表示部１３に表示された第１オブジェクトへの使用者の接触が接触検知部により検知された後に、第１オブジェクトの次に使用者に接触させる第２オブジェクト以外の第３オブジェクトへの使用者の接触が接触検知部により検知された場合に、第３オブジェクトに関連する制御指示の信号を送信しない。
【００７２】
なお、上述した制御部１５による各種の処理は、所定のアプリケーションにより行われる場合、制御部１５の各部は、例えば、所定のアプリケーションにより実現されてもよい。例えば、制御部１５による各種の処理は、外部の情報処理装置から受信した制御情報により実現されてもよい。
【００７３】
接触検知部１６は、タッチパネルの機能を実現するためのセンサである。例えば、接触検知部１６は、圧力センサを含む。例えば、接触検知部１６は、使用者が画面に接触する圧力を示す圧力情報を検知するセンサを含む。例えば、接触検知部１６は、画面における使用者の接触範囲（座標）を検知するセンサを含む。例えば、接触検知部１６は、画面において使用者が接触する位置を示す位置情報を検知するセンサを含む。例えば、接触検知部１６は、画面において使用者が接触する面積を示す面積情報を検知するセンサを含む。例えば、接触検知部１６は、種々の他の構成と連携してタッチセンサの機能を実現する。
【００７４】
接触検知部１６は、表示部１３に対する使用者の接触を検知する。接触検知部１６は、ロック画面の表示時における表示部１３の所定の領域への使用者の接触を、ロック解除の操作として検知する。接触検知部１６は、表示部１３に表示された言語選択のための言語選択オブジェクトへの使用者の接触を、ロック解除の操作として検知する。
【００７５】
枠部１７は、表示部１３の外周部１３１に設けられるフレームである。枠部１７は、表示部１３の外周部１３１を全周に亘って囲むフレームである。枠部１７は、種々の材料により形成されてもよい。
【００７６】
なお、操作装置１０は、音声を出力する場合、音声出力部（スピーカ）を有してもよい。また、操作装置１０は、振動を出力する場合、振動出力部（例えば振動モータ等により実現されるバイブレータ）を有してもよい。
【００７７】
＜４．便座装置の機能構成＞
次に、便座装置２の機能構成について図４を参照して説明する。図４は、便座装置の機能構成の一例を示すブロック図である。図４に示すように、便座装置２は、本体部３と、便蓋４と、着座部５と、ノズル部６とを備える。なお、図２で説明した便座装置２の外観構成の点についての説明は省略する。
【００７８】
便座装置２の本体部３は、通信部３１と、人体検知部３２と、着座検知部３３と、制御部３４とを有する。
【００７９】
通信部３１は、例えば、通信回路等によって実現される。そして、通信部３１は、図示しない所定の通信網（ネットワークＮ）と有線または無線で接続され、外部の情報処理装置との間で情報の送受信を行う。例えば、通信部３１は、ネットワークＮと有線または無線で接続され、操作装置１０や音声出力装置５０との間で情報の送受信を行う。
【００８０】
人体検知部３２は、人体を検知する機能を有する。例えば、人体検知部３２は、赤外線信号を用いた焦電センサ等により実現される。例えば、人体検知部３２は、μ（マイクロ）波を用いた焦電センサ等により実現されてもよい。なお、上記は一例であり、人体検知部３２は、上記に限らず、種々の手段により人体を検知してもよい。例えば、人体検知部３２は、トイレルームＲ（図２参照）内に入室した人（使用者など）を検知する。人体検知部３２は、検知信号を制御部３４へ出力する。
【００８１】
着座検知部３３は、便座装置２への人の着座を検知する機能を有する。着座検知部３３は、使用者が着座部５に着座したことを検知する。例えば、着座検知部３３は、荷重センサにより使用者が着座部５に着座したことを検知する。例えば、着座検知部３３は、赤外線投受光式の測距センサであり、人（使用者）が着座部５に着座する直前において着座部５の付近に存在する人体や、着座部５に着座した使用者を検知してもよい。なお、上記は一例であり、着座検知部３３は、上記に限らず、種々の手段により便座装置２への人の着座を検知してもよい。着座検知部３３は、着座検知信号を制御部３４へ出力する。
【００８２】
制御部３４は、便蓋４や着座部５やノズル部６を制御する。制御部３４は、操作装置１０から送信された信号に基づいて、便蓋４や着座部５やノズル部６を制御する。制御部３４は、操作装置１０から送信された局部洗浄に関する制御指示の信号に基づいて、ノズル部６を制御する。制御部３４は、操作装置１０から送信された便蓋開閉に関する制御指示の信号に基づいて、便蓋４を制御する。制御部３４は、操作装置１０から送信された着座部開閉に関する制御指示の信号に基づいて、着座部５を制御する。制御部３４は、有線により、便蓋４や着座部５やノズル部６に制御情報を送信する。なお、制御部３４は、無線により、便蓋４や着座部５やノズル部６に制御情報を送信してもよい。
【００８３】
制御部３４は、人体検知部３２による使用者の入室が検知されたか否かを判定する。制御部３４は、人体検知部３２によるトイレルームＲへの使用者の入室が検知されたか否かを判定する。制御部３４は、着座検知部３３による使用者の着座が検知されたか否かを判定する。制御部３４は、着座検知部３３による着座部５への使用者の着座が検知されたか否かを判定する。制御部３４は、例えば、ＣＰＵやＭＰＵやＡＳＩＣやＦＰＧＡ等の集積回路等の種々の手段により実現されてもよい。
【００８４】
なお、便座装置２には、上記に限らず種々の構成が含まれてもよい。例えば、便座装置２には、音声出力部（トイレ用擬音装置）が含まれてもよい。
【００８５】
＜５．操作装置の具体的動作＞
次に、操作装置１０の具体的動作について図５を参照して説明する。図５は、操作装置が実行する処理の手順の一例を示すフローチャートである。
【００８６】
図５に示すように、操作装置１０は、操作画面を表示する（ステップＳ１）。例えば、操作装置１０は、複数のオブジェクトを含む操作画面を表示する。
【００８７】
そして、操作装置１０は、オブジェクトへの接触を検知した場合（ステップＳ２：Ｙｅｓ）、表示を変更する（ステップＳ３）。操作装置１０は、オブジェクトへの接触を検知した場合、接触したオブジェクトに応じて、表示を変更する。なお、操作装置１０は、オブジェクトへの接触を検知していない場合（ステップＳ２：Ｎｏ）、ステップＳ２の処理を繰り返す。
【００８８】
＜６．第１オブジェクトの表示態様＞
なお、操作装置１０は、種々の表示態様の変更を行ってもよい。この点について、図６〜図９を用いて説明する。
【００８９】
まず、図６を用いて第１オブジェクトの表示態様の変更について説明する。図６は、操作装置の第１オブジェクトの表示態様の変更一例を示す図である。なお、図６においては、オブジェクトＯＢ１１の表示態様に応じて、表示変更前オブジェクトＯＢ１１−１、表示変更後オブジェクトＯＢ１１−２として説明するが、特に区別して説明を行う場合以外は、単に「オブジェクトＯＢ１１」とする。図６に示すオブジェクトＯＢ１１は、操作装置１０の表示部１３に表示されているものとする。
【００９０】
図６の例では、操作装置１０は、表示変更前オブジェクトＯＢ１１−１への使用者の接触を検知する（ステップＳ２１）。これにより、操作装置１０は、オブジェクトＯＢ１１に対応する機能を便座装置２に実行させるための信号を便座装置２へ送信する。例えば、操作装置１０は、局部洗浄の実行を便座装置２に開始させるための信号を便座装置２へ送信する。そして、信号を受信した便座装置２は、局部洗浄の実行を開始する。
【００９１】
また、操作装置１０は、表示を変更する（ステップＳ２２）。操作装置１０は、接触された第１オブジェクトであるオブジェクトＯＢ１１の表示態様を変更する。図６の例では、操作装置１０は、表示変更前オブジェクトＯＢ１１−１から表示変更後オブジェクトＯＢ１１−２に表示を変更する。例えば、操作装置１０は、第１オブジェクトであるオブジェクトＯＢ１１が既に選択され、対応する機能が実行中であるため、オブジェクトＯＢ１１を他のオブジェクトよりも目立たないように表示態様を変更する。例えば、操作装置１０は、透明度を高くした表示変更後オブジェクトＯＢ１１−２を表示部１３に表示する。
【００９２】
このように、操作装置１０は、第１オブジェクトへの使用者の接触に応じて、選択された第１オブジェクトを、他のオブジェクトよりも目立たないように表示態様を変更することにより、使用者の意識を他のオブジェクトへと向けさせることができるため、第１オブジェクトが何度も選択されることを抑制し、弱視の人による適切な操作を可能にすることができる。
【００９３】
＜７．表示オブジェクトの変更＞
また、操作装置１０は、使用者により選択（接触）された第１オブジェクトを他のオブジェクト（第２オブジェクト）に変更してもよい。この点について、図７を用いて説明する。図７は、操作装置の表示するオブジェクトの変更の一例を示す図である。図７に示すオブジェクトＯＢ１１は、操作装置１０の表示部１３に表示されているものとする。
【００９４】
図７の例では、操作装置１０は、オブジェクトＯＢ１１への使用者の接触を検知する（ステップＳ２３）。これにより、操作装置１０は、オブジェクトＯＢ１１に対応する機能を便座装置２に実行させるための信号を便座装置２へ送信する。例えば、操作装置１０は、局部洗浄の実行を便座装置２に開始させるための信号を便座装置２へ送信する。そして、信号を受信した便座装置２は、局部洗浄の実行を開始する。
【００９５】
また、操作装置１０は、表示を変更する（ステップＳ２４）。操作装置１０は、接触された第１オブジェクトであるオブジェクトＯＢ１１を、次に操作されるべき他のオブジェクトに変更する。図７の例では、操作装置１０は、接触された第１オブジェクトであるオブジェクトＯＢ１１を第２オブジェクトであるオブジェクトＯＢ１２に変更する。例えば、操作装置１０は、第１オブジェクトであるオブジェクトＯＢ１１が既に選択され、対応する機能が実行中であるため、オブジェクトＯＢ１１に替えて、実行中の機能を停止させるためのオブジェクトＯＢ１２を表示部１３に表示する。そして、操作装置１０は、オブジェクトＯＢ１２への使用者の接触を検知した場合、局部洗浄の実行を便座装置２に停止させるための信号を便座装置２へ送信する。
【００９６】
このように、操作装置１０は、第１オブジェクトへの使用者の接触に応じて、選択された第１オブジェクトの次に選択されるべき第２オブジェクトに変更することにより、使用者の意識を第２オブジェクトへと向けさせることができるため、弱視の人による適切な操作を可能にすることができる。
【００９７】
＜８．第２オブジェクトの表示＞
また、操作装置１０は、使用者により選択（接触）された第１オブジェクトに対応する第２オブジェクトを出現させ、新たに表示してもよい。この点について、図８を用いて説明する。図８は、操作装置の第２オブジェクトの表示の一例を示す図である。図８に示すオブジェクトＯＢ１１は、操作装置１０の表示部１３に表示されているものとする。
【００９８】
図８の例では、操作装置１０は、オブジェクトＯＢ１１への使用者の接触を検知する（ステップＳ２５）。これにより、操作装置１０は、オブジェクトＯＢ１１に対応する機能を便座装置２に実行させるための信号を便座装置２へ送信する。例えば、操作装置１０は、局部洗浄の実行を便座装置２に開始させるための信号を便座装置２へ送信する。そして、信号を受信した便座装置２は、局部洗浄の実行を開始する。
【００９９】
また、操作装置１０は、表示を変更する（ステップＳ２６）。操作装置１０は、接触された第１オブジェクトであるオブジェクトＯＢ１１を、次に操作されるべき他のオブジェクトに変更する。図８の例では、操作装置１０は、接触された第１オブジェクトであるオブジェクトＯＢ１１を第２オブジェクトであるオブジェクトＯＢ１２に変更する。例えば、操作装置１０は、第１オブジェクトであるオブジェクトＯＢ１１が既に選択され、対応する機能が実行中であるため、オブジェクトＯＢ１１に替えて、実行中の機能を停止させるためのオブジェクトＯＢ１２を表示部１３に表示する。
【０１００】
また、操作装置１０は、オブジェクトＯＢ１１により実行された局部洗浄の調整に関するオブジェクトＯＢ１３を表示部１３に新たに表示する。図８の例では、操作装置１０は、局部洗浄の水の勢いを調整するオブジェクトＯＢ１３を第２オブジェクトとして表示部１３に新たに表示する。そして、操作装置１０は、オブジェクトＯＢ１３への使用者の接触を検知した場合、接触位置に応じて、便座装置２に局部洗浄の水勢を調整させるための信号を便座装置２へ送信する。
【０１０１】
このように、操作装置１０は、第１オブジェクトへの使用者の接触に応じて、選択された第１オブジェクトの次に選択されるべき第２オブジェクトを出現させ、新たに表示することにより、使用者の意識を第２オブジェクトへと向けさせることができるため、弱視の人による適切な操作を可能にすることができる。
【０１０２】
また、操作装置１０は、第２オブジェクトであるオブジェクトＯＢ１２、ＯＢ１３以外のオブジェクト（第３オブジェクト）の表示態様を変更する。図８の例では、操作装置１０は、第３オブジェクトであるオブジェクトＯＢ１４、ＯＢ１５を第２オブジェクトであるオブジェクトＯＢ１２、ＯＢ１３よりも目立たないように表示態様を変更する。例えば、操作装置１０は、オブジェクトＯＢ１４、ＯＢ１５の透明度を高くすることにより、オブジェクトＯＢ１４、ＯＢ１５の表示態様を変更する。
【０１０３】
このように、操作装置１０は、第１オブジェクトへの使用者の接触に応じて、選択された第１オブジェクトの第２オブジェクト以外の第３オブジェクトを、第２オブジェクトよりも目立たないように表示態様を変更することにより、使用者の意識を第２オブジェクトへと向けさせることができるため、弱視の人による適切な操作を可能にすることができる。
【０１０４】
＜９．複数のオブジェクトの強調表示＞
また、操作装置１０は、複数のオブジェクトを強調表示してもよい。この点について、図９を用いて説明する。図９は、操作装置の複数のオブジェクトの強調表示の一例を示す図である。具体的には、図９は、第１オブジェクトが選択後の操作装置１０に表示された第２オブジェクト及び第３オブジェクトの表示の変更の一例を示す図である。なお、図９においては、操作装置１０の表示態様に応じて、操作装置１０−２１、１０−２２として説明するが、特に区別して説明を行う場合以外は、単に「操作装置１０」とする。
【０１０５】
図９の操作装置１０は、表示部１３に操作画面が表示された状態を示す。操作画面には、種々の機能を実行するオブジェクトＢ１〜Ｂ２０が含まれる。なお、図９に示すオブジェクトＢ１〜Ｂ２０は、一例であり、オブジェクトＢ１〜Ｂ２０に限らず、種々のオブジェクトが含まれてもよい。また、図９の例では、オブジェクト間の関係性の説明のために、各機能のオブジェクトＢ１〜Ｂ２０を単純な矩形で示すが、各オブジェクトは、オブジェクトの選択に応じて実行される機能に応じて種々の表示態様であってもよい。例えば、温度設定機能に関するオブジェクトＢ１３〜Ｂ１５には、温度を上下させるための「＋」や「−」といった表示が含まれてもよい。また、図９に示す操作装置１０の表示部１３には、上側に情報表示エリアが配置されてもよい。
【０１０６】
オブジェクトＢ１〜Ｂ３は、局部洗浄機能に関するオブジェクトである。オブジェクトＢ１は、便座装置２に局部洗浄を実行させるためのオブジェクトである。オブジェクトＢ２は、所定の態様で便座装置２に局部洗浄を実行させるためのオブジェクトである。オブジェクトＢ３は、所定の態様で便座装置２に局部洗浄を実行させるためのオブジェクトである。以下では、オブジェクトＢ１〜Ｂ３を併せて「局部洗浄機能オブジェクト」と記載する場合がある。
【０１０７】
また、オブジェクトＢ４〜Ｂ７は、局部洗浄補助機能に関するオブジェクトである。オブジェクトＢ４は、便座装置２による局部洗浄の水勢を調整するためのオブジェクトである。オブジェクトＢ５は、便座装置２による局部洗浄の洗浄位置を調整するためのオブジェクトである。オブジェクトＢ６は、便座装置２による局部洗浄の態様を調整するためのオブジェクトである。オブジェクトＢ７は、便座装置２による局部洗浄の態様を調整するためのオブジェクトである。以下では、オブジェクトＢ４〜Ｂ７を併せて「局部洗浄補助機能オブジェクト」と記載する場合がある。
【０１０８】
オブジェクトＢ８は、停止機能に関するオブジェクトである。オブジェクトＢ８は、便座装置２により実行中の制御を止めるためのオブジェクトである。以下では、オブジェクトＢ８を「停止機能オブジェクト」と記載する場合がある。
【０１０９】
オブジェクトＢ９は、乾燥機能に関するオブジェクトである。オブジェクトＢ９は、便座装置２に乾燥機能を実行させるためのオブジェクトである。以下では、オブジェクトＢ９を「乾燥機能オブジェクト」と記載する場合がある。
【０１１０】
オブジェクトＢ１０は、便座開閉機能に関するオブジェクトである。オブジェクトＢ１０は、便座装置２に便座（着座部５）やふた（便蓋４）の開閉を実行させるためのオブジェクトである。以下では、オブジェクトＢ１０を「便座開閉機能オブジェクト」と記載する場合がある。
【０１１１】
オブジェクトＢ１１、Ｂ１２は、お掃除機能に関するオブジェクトである。オブジェクトＢ１１は、便座装置２のノズル部６を除菌水で殺菌する殺菌処理を行うためのオブジェクトである。オブジェクトＢ１２は、便座装置２の便器７のボウル部８を除菌水で殺菌する殺菌処理を行うためのオブジェクトである。以下では、オブジェクトＢ１１、Ｂ１２を併せて「お掃除機能オブジェクト」と記載する場合がある。
【０１１２】
オブジェクトＢ１３〜Ｂ１５は、温度設定機能に関するオブジェクトである。オブジェクトＢ１３は、便座装置２が実行する吐水の温度を設定するためのオブジェクトである。オブジェクトＢ１４は、便座装置２が実行する乾燥の温度を設定するためのオブジェクトである。オブジェクトＢ１５は、便座装置２の便座（着座部５）の温度を設定するためのオブジェクトである。以下では、オブジェクトＢ１３〜Ｂ１５を併せて「温度設定機能オブジェクト」と記載する場合がある。温度設定機能オブジェクトであるオブジェクトＢ１３〜Ｂ１５には、温度を上下させるための「＋」や「−」といった表示が含まれてもよい。
【０１１３】
オブジェクトＢ１６は、音声出力機能に関するオブジェクトである。オブジェクトＢ１６は、便座装置２に所定の音を出力させるためのオブジェクトである。以下では、オブジェクトＢ１６を「音声出力機能オブジェクト」と記載する場合がある。
【０１１４】
オブジェクトＢ１７は、言語選択機能に関するオブジェクトである。オブジェクトＢ１７は、トイレの利用に関する情報を操作装置１０に表示したり音声出力したりする際の言語を選択するためのオブジェクトである。以下では、オブジェクトＢ１７を「言語選択機能オブジェクト」と記載する場合がある。
【０１１５】
オブジェクトＢ１８、Ｂ１９は、便器洗浄機能に関するオブジェクトである。オブジェクトＢ１８は、便座装置２の便器７（例えばボウル部８）の洗浄を行うためのオブジェクトである。オブジェクトＢ１９は、便座装置２の便器７（例えばボウル部８）の洗浄を所定の態様で行うためのオブジェクトである。以下では、オブジェクトＢ１８、Ｂ１９を併せて「便器洗浄機能オブジェクト」と記載する場合がある。
【０１１６】
オブジェクトＢ２０は、脱臭機能に関するオブジェクトである。オブジェクトＢ２０は、便座装置２に脱臭機能を実行させるためのオブジェクトである。以下では、オブジェクトＢ２０を「脱臭機能オブジェクト」と記載する場合がある。
【０１１７】
操作装置１０は、表示部１３に表示された各オブジェクトＢ１〜Ｂ２０への使用者の接触（選択）に応じて、選択されたオブジェクトに対応する機能を実行するための処理を行う。例えば、操作装置１０は、表示部１３に表示されたオブジェクトＢ１に使用者が接触したことを検知した場合、局部洗浄の実行を便座装置２に開始させるための信号を便座装置２へ送信する。また、操作装置１０は、表示部１３に表示されたオブジェクトＢ８に使用者が接触したことを検知した場合、実行中の制御を便座装置２に止めさせるための信号を便座装置２へ送信する。
【０１１８】
図９の例では、操作装置１０は、オブジェクトＢ１への使用者の接触を検知する（ステップＳ４１）。この場合、操作装置１０は、局部洗浄機能オブジェクトであるオブジェクトＢ１への使用者の接触（第１の接触）に応じて、局部洗浄の実行を便座装置２に開始させるための信号を便座装置２へ送信する。
【０１１９】
また、操作装置１０は、表示を変更する（ステップＳ４２）。操作装置１０は、接触された第１オブジェクトであるオブジェクトＢ１の次に、使用者に接触させる第２オブジェクトを強調するように表示を変更する。また、操作装置１０は、接触された第１オブジェクトであるオブジェクトＢ１の次に、使用者に接触させるべきではない第３オブジェクトを目立たなくするように表示を変更する。
【０１２０】
例えば、操作装置１０は、第１オブジェクトと第２オブジェクトとの対応付けを示す情報（第２一覧情報）を用いて、選択されたオブジェクト（第１オブジェクト）に対応する第２オブジェクトを特定する。例えば、操作装置１０は、各オブジェクトと次に接触されるべきオブジェクト（第２オブジェクト）との対応関係を示す第２一覧情報を用いて、第２オブジェクトを特定する。例えば、操作装置１０は、記憶部１４（図３参照）に記憶された第２一覧情報を用いて第２オブジェクトを特定する。
【０１２１】
例えば、第２一覧情報は、第１オブジェクトと第２オブジェクトとの対応付けごとに、その関係性が異常であるか否かを示す一覧情報を含んでもよい。第２一覧情報は、第１オブジェクトが局部洗浄機能オブジェクトである場合、第２オブジェクトが局部洗浄補助機能オブジェクトであることを示す情報を含む。また、第２一覧情報は、第１オブジェクトが局部洗浄機能オブジェクトである場合、第２オブジェクトが停止機能オブジェクトであることを示す情報を含む。第２一覧情報は、第１オブジェクトが局部洗浄機能オブジェクトである場合、第２オブジェクトが乾燥機能オブジェクトであることを示す情報を含む。
【０１２２】
例えば、操作装置１０は、第１オブジェクトと第３オブジェクトとの対応付けを示す情報（第３一覧情報）を用いて、選択されたオブジェクト（第１オブジェクト）に対応する第３オブジェクトを特定する。例えば、操作装置１０は、各オブジェクトと次に接触されるべきではないオブジェクト（第３オブジェクト）との対応関係を示す第３一覧情報を用いて、第３オブジェクトを特定する。例えば、操作装置１０は、記憶部１４（図３参照）に記憶された第３一覧情報を用いて第３オブジェクトを特定する。
【０１２３】
例えば、第３一覧情報は、第１オブジェクトが局部洗浄機能オブジェクトである場合、第３オブジェクトが便座開閉機能オブジェクトであることを示す情報を含む。第３一覧情報は、第１オブジェクトが局部洗浄機能オブジェクトである場合、第３オブジェクトがお掃除機能オブジェクトであることを示す情報を含む。なお、上記第２一覧情報や第３一覧情報は一例であり、用途や機能により種々の第１オブジェクトと第２オブジェクトとの対応付けや、第１オブジェクトと第３オブジェクトとの対応付けが設定されてもよい。
【０１２４】
操作装置１０は、上記のような第２一覧情報や第３一覧情報を用いて、第１オブジェクトであるオブジェクトＢ１に対応する第２オブジェクトや第３オブジェクトを特定する。図９の例では、操作装置１０は、第１オブジェクトであるオブジェクトＢ１が局部洗浄機能オブジェクトであるため、局部洗浄補助機能オブジェクト、停止機能オブジェクト及び乾燥機能オブジェクトを第２オブジェクトとして特定する。すなわち、操作装置１０は、オブジェクトＢ４〜Ｂ９の６個のオブジェクトを第２オブジェクトとして特定する。
【０１２５】
そして、図９に示すように、操作装置１０は、第２オブジェクトであるオブジェクトＢ４〜Ｂ９の６個のオブジェクトを強調するように表示を変更する。例えば、操作装置１０は、オブジェクトＢ４〜Ｂ９の色を変更することにより、オブジェクトＢ４〜Ｂ９を強調するように表示を変更する。
【０１２６】
また、図９の例では、操作装置１０は、第１オブジェクトであるオブジェクトＢ１が局部洗浄機能オブジェクトであるため、便座開閉機能オブジェクト及びお掃除機能オブジェクトを第３オブジェクトとして特定する。すなわち、操作装置１０は、オブジェクトＢ１０〜Ｂ１２の３個のオブジェクトを第３オブジェクトとして特定する。
【０１２７】
そして、図９に示すように、操作装置１０は、第３オブジェクトであるオブジェクトＢ１０〜Ｂ１２の３個のオブジェクトを目立たなくするように表示を変更する。例えば、操作装置１０は、オブジェクトＢ１０〜Ｂ１２の透明度を高くすることにより、オブジェクトＢ１０〜Ｂ１２を目立たなくするように表示を変更する。なお、操作装置１０は、オブジェクトＢ１０〜Ｂ１２を非表示にすることにより、表示を変更してもよい。
【０１２８】
このように、操作装置１０は、使用者が接触した第１オブジェクトの次に接触すべき第２オブジェクトを強調し、接触すべきではない第３オブジェクトを目立たなくするように、表示態様を変更することにより、弱視の人による適切な操作を可能にすることができる。
【０１２９】
＜１０．他の装置構成例＞
なお、装置構成は上記に限らず、種々の構成であってもよい。例えば、便座装置は、操作装置と一体であってもよい。図１０は、便座装置の他の構成の一例を示すブロック図である。なお、図４と同様の点については適宜説明を省略する。
【０１３０】
図１０に示すように、便座装置２Ａは、操作装置１０を含む。例えば、便座装置２Ａにおいて、操作装置１０は、本体部３に情報の送受信可能に接続される。例えば、操作装置１０は、本体部３と有線により接続されてもよいし、制御部３４に直接接続されてもよい。便座装置２Ａにおいて、操作装置１０は、着座部５の側部に配置されてもよい。上述したトイレシステム１には、便座装置２に替えて、便座装置２Ａが含まれてもよい。
【０１３１】
＜１１．操作装置の表示＞
なお、上記例では、操作装置１０が操作画面を表示する場合を示したが、操作装置１０は種々の画面を表示してもよい。この点について、図１１及び図１２を用いて説明する。図１１は、トイレシステムが実行する処理の手順の一例を示すフローチャートである。具体的には、図１１は、使用者の入室から操作画面の表示までにトイレシステム１が実行する処理の手順の一例を示すフローチャートである。図１２は、操作装置が実行する画面遷移の一例を示す図である。なお、図１２においては、操作装置１０に表示される画面に応じて、操作装置１０−１〜１０−４として説明するが、特に区別して説明を行う場合以外は、単に「操作装置１０」とする。図１２に示す操作装置１０−１は、使用者の入室を検知する前の待機画面の状態を示す。操作装置１０−１の待機画面は何も表示されていない状態であってもよい。
【０１３２】
図１１に示すように、トイレシステム１は、入室を検知した場合（ステップＳ１０１：Ｙｅｓ）、ウェルカム画面に表示を変更する（ステップＳ１０２）。例えば、便座装置２は、トイレルームＲ（図２参照）への使用者の入室を検知した場合、入室の検知を示す情報を操作装置１０に送信する。なお、入室の検知が可能であれば、どのような手段により検知が行われてもよく、操作装置１０が入室を検知してもよいし、トイレのドアセンサ等により、使用者の入室を検知してもよい。
【０１３３】
入室の検知を示す情報を取得した操作装置１０は、ウェルカム画面に表示を変更する。図１２の例では、操作装置１０は、操作装置１０−１の待機画面から、操作装置１０−２のウェルカム画面に表示を遷移させる。操作装置１０−２のウェルカム画面には、「Ｗｅｌｃｏｍｅ  ＸＸ  Ｔｏｉｌｅｔ」といった所定の情報が含まれる。例えば、トイレシステム１は、ウェルカム画面を表示する際に、「ようこそ、ＸＸトイレへ」といった所定の音声を出力してもよい。
【０１３４】
なお、トイレシステム１は、入室を検知していない場合（ステップＳ１０１：Ｎｏ）、ステップＳ１０１の処理を繰り返す。操作装置１０は、操作装置１０−１の待機画面の状態を継続する。
【０１３５】
そして、トイレシステム１は、ウェルカム画面の表示後に、ロック画面に表示を変更する（ステップＳ１０３）。ウェルカム画面を表示した操作装置１０は、ウェルカム画面の表示から所定の時間（例えば５秒や１０秒等の任意の時間）が経過した後、ロック画面に表示を変更する。図１２の例では、操作装置１０は、操作装置１０−２のウェルカム画面から、操作装置１０−３のロック画面に表示を遷移させる。操作装置１０−３のロック画面には、「Ｌｅｔ’s  ｔｒｙ」や「ロック解除」といった所定の情報が含まれる。
【０１３６】
なお、操作装置１０は、ロック画面の表示時において、便座装置２に対する制御指示に関連するオブジェクトの表示状態はいずれでもよい。例えば、操作装置１０は、オブジェクトを表示する場合、オブジェクトに触れられたとしても、信号（通信信号）を生成しなくてもよいし、信号（通信信号）を送信しなくてもよい。
【０１３７】
トイレシステム１は、ロック解除を検知した場合（ステップＳ１０４：Ｙｅｓ）、操作画面に表示を変更する（ステップＳ１０５）。図１２の例では、操作装置１０は、操作装置１０−３のロック画面から、操作装置１０−４の操作画面に表示を遷移させる。例えば、操作装置１０は、オブジェクトが配置される第１の領域やオブジェクトが配置されない第２の領域を含む操作画面を表示する。例えば、操作画面中の映像表示画面は操作可能であってもよいし、不可能であってもよい。なお、トイレシステム１は、ロック解除を検知しなかった場合（ステップＳ１０４：Ｎｏ）、ステップＳ１０３の処理を繰り返す。操作装置１０は、操作装置１０−３のロック画面の状態を継続する。
【０１３８】
例えば、トイレシステム１は、種々の態様により、ロック解除を受け付けてもよい。例えば、トイレシステム１は、操作装置１０に７種のタッチ操作（タップ、ダブルタップ、ロングタップ、ドラッグ、スワイプ、フリック、ピンチ）のいずれかにより解除されるロックオブジェクトを表示し、表示したロックオブジェクトによりロック解除を受け付けてもよい。また、トイレシステム１は、使用者の音声による指示でロック解除を受け付けてもよい。また、トイレシステム１は、便座装置２への着座をロック解除として検知してもよい。なお、上記のロック解除は一例であり、どのような手段によりロック解除が行われてもよい。ロック解除の他の例についての詳細は後述する。
【０１３９】
なお、図１２の例では、使用者の入室から操作画面の表示までの画面の遷移について図示したが、操作装置１０は、使用者のトイレの利用から退室までについても同様に画像を遷移させてもよい。
【０１４０】
例えば、操作画面の表示後において、操作装置１０は、使用者の退室の検知が行われた場合、操作画面から所定の画面（サンキュー画面）に表示を遷移する。サンキュー画面は、「Ｔｈａｎｋ  ｙｏｕ」といった所定の情報が含まれてもよい。また、トイレシステム１は、サンキュー画面を表示する際に、「ＸＸトイレのご利用ありがとうございました」といった所定の音声を出力してもよい。
【０１４１】
例えば、操作装置１０は、使用者の着座状態の解除が検知された場合、使用者の退室が行われるとして、サンキュー画面を表示してもよい。例えば、操作装置１０は、トイレのドアセンサ等により使用者のドアへの操作が検知された場合、サンキュー画面を表示してもよい。
【０１４２】
サンキュー画面を表示した操作装置１０は、サンキュー画面の表示から所定の時間（例えば３秒や１５秒等の任意の時間）が経過した後、待機画面に表示を変更する。
【０１４３】
＜１２．機能説明の動作例＞
操作装置１０は、オブジェクトの機能を説明する動画等を表示してもよい。この点について、図１３を用いて説明する。図１３は、操作装置が実行する機能説明の処理の手順の一例を示すフローチャートである。
【０１４４】
図１３の例では、操作装置１０は、操作画面を表示する（ステップＳ２０１）。例えば、操作装置１０は、使用者によるロック解除後において操作画面を表示する。
【０１４５】
図１３に示すように、操作装置１０は、機能説明オブジェクトに接触を検知していない場合（ステップＳ２０２：Ｎｏ）、操作装置１０が使用されることなく所定時間経過したかどうかを判定する（ステップＳ２０３）。例えば、操作装置１０は、操作画面が表示された時点または最後に操作装置１０が使用された時点から、操作装置１０が使用されることなく所定時間（例えば３０秒や１分等）経過したかどうかを判定する。
【０１４６】
操作装置１０は、操作装置１０が使用されることなく所定時間経過したと判定した場合（ステップＳ２０３：Ｙｅｓ）、機能説明の映像を表示する（ステップＳ２０４）。例えば、操作装置１０は、操作装置１０が使用されることなく所定時間経過したと判定した場合、所定の機能説明オブジェクトに対応するオブジェクトの機能を説明する動画を再生する。例えば、操作装置１０は、操作装置１０が使用されることなく所定時間経過したと判定した場合、ランダムに選択した機能説明オブジェクトに対応するオブジェクトの機能を説明する動画を再生する。
【０１４７】
一方、操作装置１０は、操作装置１０が使用されることなく所定時間経過していないと判定した場合（ステップＳ２０３：Ｎｏ）、ステップＳ２０２に戻って処理を繰り返す。
【０１４８】
また、操作装置１０は、機能説明オブジェクトに接触を検知した場合（ステップＳ２０２：Ｙｅｓ）、機能説明の映像を表示する（ステップＳ２０４）。例えば、操作装置１０は、機能説明オブジェクトに接触を検知した場合、その機能説明オブジェクトに対応するオブジェクトの機能を説明する動画を再生する。操作装置１０は、図１に示すオブジェクトＯＢ２〜ＯＢ４の右下に配置された機能説明オブジェクトＩＯ２〜ＩＯ４のいずれかに使用者が接触した場合、接触した機能説明オブジェクトに対応するオブジェクトの機能を説明する動画を情報表示エリアＣＴに表示（再生）する。例えば、操作装置１０は、機能説明オブジェクトＩＯ４に使用者が接触した場合、情報表示エリアＣＴにオブジェクトＯＢ４に関する機能説明のコンテンツを表示する。
【０１４９】
そして、操作装置１０は、他のオブジェクトに接触したか否かを判定する（ステップＳ２０５）。操作装置１０は、他のオブジェクトに接触していない場合（ステップＳ２０５：Ｎｏ）、機能説明オブジェクトに接触してから所定時間経過したかどうかを判定する（ステップＳ２０６）。例えば、操作装置１０は、機能説明オブジェクトＩＯ２〜ＩＯ４のいずれかに使用者が接触した時点または機能説明の映像の表示開始の時点から、所定時間（例えば機能説明の映像の再生時間等）経過したかどうかを判定する。
【０１５０】
操作装置１０は、機能説明オブジェクトに接触してから所定時間経過していないと判定した場合（ステップＳ２０６：Ｎｏ）、ステップＳ２０５に戻って処理を繰り返す。
【０１５１】
一方、操作装置１０は、機能説明オブジェクトに接触してから所定時間経過したと判定した場合（ステップＳ２０６：Ｙｅｓ）、機能説明の表示を終了する（ステップＳ２０７）。また、操作装置１０は、他のオブジェクトに接触したと判定した場合（ステップＳ２０５：Ｙｅｓ）、機能説明の表示を終了する（ステップＳ２０７）。そして、操作装置１０は、ステップＳ２０７後、ステップＳ２０１に戻って処理を繰り返す。なお、操作装置１０は、ステップＳ２０７後において操作画面の表示の変更が無い場合、ステップＳ２０２に戻って処理を繰り返してもよい。
【０１５２】
＜１３．ロックの解除例＞
操作装置１０は、種々の態様により使用者にロック解除を行わせてもよい。この点について、図１４を用いて説明する。図１４は、操作装置が実行するロック解除における画面遷移の一例を示す図である。
【０１５３】
図１４に示すように、操作装置１０は、使用者に２段階のロック解除操作を行わせてもよい。なお、図１４においては、操作装置１０に表示される画面に応じて、操作装置１０−３、１０−３１、１０−４として説明するが、特に区別して説明を行う場合以外は、単に「操作装置１０」とする。図１４に示す操作装置１０−３及び操作装置１０−４は、図１２に示す操作装置１０−３及び操作装置１０−４と同様である。
【０１５４】
図１４に示す操作装置１０−３には第１ロック画面が表示されており、表示部１３の領域ＡＲ３１には、使用者の接触をロック解除の操作として検知するオブジェクトＯＢ３１が表示される。操作装置１０は、オブジェクトＯＢ３１が表示された領域ＡＲ３１への使用者の接触を検知する（ステップＳ３１）。
【０１５５】
これにより、操作装置１０は、画面を遷移する（ステップＳ３２）。図１４の例では、操作装置１０は、操作装置１０−３の第１ロック画面から、操作装置１０−３１の第２ロック画面に表示を遷移させる。
【０１５６】
操作装置１０−３１の第２ロック画面には、表示部１３の領域ＡＲ３１とは異なる位置にある表示部１３の領域ＡＲ３２に、使用者によるロック解除の操作を確定するロック解除オブジェクトＯＢ３２が配置される。操作装置１０の表示部１３において、領域ＡＲ３１の範囲と領域ＡＲ３２の範囲とは重ならない。図１４の例では、操作装置１０−３１の第２ロック画面において、ロック解除オブジェクトＯＢ３２が配置される領域ＡＲ３２は、表示部１３の端部に配置される。これにより、操作装置１０は、全盲の人等の視覚障害者が操作装置１０を触って、意図せずにロック画面を解除してしまう可能性をさらに低減することができる。
【０１５７】
また、操作装置１０−３１の第２ロック画面には、「画面のスタートボタンにタッチしてロックを解除してください」といった使用者へロック解除方法を示す文字情報が表示される。これにより、操作装置１０は、健常者にはロック解除する方法を具体的に通知することができるため、健常者がロック画面を解除できない可能性を低減することができる。
【０１５８】
操作装置１０は、ロック解除オブジェクトＯＢ３２が表示された領域ＡＲ３２への使用者の接触を検知する（ステップＳ３３）。
【０１５９】
これにより、操作装置１０は、ロックを解除する（ステップＳ３４）。例えば、操作装置１０は、画面を遷移する。図１４の例では、操作装置１０は、操作装置１０−３１の第２ロック画面から、操作装置１０−４の操作画面に表示を遷移させる。
【０１６０】
＜１４．他の操作を利用したロックの解除例＞
操作装置１０は、使用者による他の操作をロック解除として受け付けてもよい。この点について、図１５を用いて説明する。図１５は、操作装置が実行するロック解除における画面遷移の他の一例を示す図である。
【０１６１】
図１５に示すように、操作装置１０は、使用者による言語選択をロック解除操作として受け付けてもよい。なお、図１５においては、操作装置１０に表示される画面に応じて、操作装置１０−３５、１０−３６、１０−４として説明するが、特に区別して説明を行う場合以外は、単に「操作装置１０」とする。図１５に示す操作装置１０−４は、図１２に示す操作装置１０−４と同様である。なお、図１５に示す操作装置１０−３５のロック画面（以下「第１ロック画面」ともいう）は、図１４に示す操作装置１０−３の第１ロック画面と、オブジェクトが言語選択のオブジェクトである点で相違する。例えば、図１５に示す言語選択のオブジェクトＯＢ７は、図１中のオブジェクトＯＢ７と同様であり、トイレの利用に関する情報を操作装置１０に表示したり音声出力したりする際の言語を選択するためのオブジェクトである。
【０１６２】
図１５に示す操作装置１０−３５には第１ロック画面が表示されており、表示部１３の領域ＡＲ３５には、使用者が言語選択を行うためのオブジェクトＯＢ７が表示される。操作装置１０は、オブジェクトＯＢ７が表示された領域ＡＲ３５への使用者の接触を検知する（ステップＳ３５）。
【０１６３】
これにより、操作装置１０は、選択可能言語を表示する（ステップＳ３６）。図１５の例では、操作装置１０は、操作装置１０−３５の第１ロック画面（第１言語選択画面）から、操作装置１０−３６の言語選択画面（以下「第２ロック画面」ともいう）に表示を遷移させる。なお、操作装置１０は、表示を遷移させることなく、言語選択オブジェクトＯＢ３６を表示させることにより、操作装置１０−３５の第１ロック画面（第１言語選択画面）から、操作装置１０−３６の第２ロック画面（第２言語選択画面）に表示を変更してもよい。
【０１６４】
操作装置１０−３６の第２ロック画面には、表示部１３の領域ＡＲ３５とは異なる位置にある表示部１３の領域ＡＲ３６に、使用者による一の言語の選択を受け付ける言語選択オブジェクトＯＢ３６が配置される。言語選択オブジェクトＯＢ３６には、「日本語」、「Ｅｎｇｌｉｓｈ」、「Ｆｒｅｎｃｈ」といった選択可能な言語の一覧が含まれる。操作装置１０の表示部１３において、領域ＡＲ３５の範囲と領域ＡＲ３６の範囲とは重ならない。これにより、操作装置１０は、使用者の言語選択の操作をロック解除の操作として受け付けることができるため、健常者の利便性の低下を抑制しつつ、全盲の人等の視覚障害者が操作装置１０を触って、意図せずにロックが解除される可能性をさらに低減することができる。
【０１６５】
操作装置１０は、言語選択オブジェクトＯＢ３６が表示された領域ＡＲ３６への使用者の接触を検知する（ステップＳ３７）。図１４の例では、操作装置１０は、言語選択オブジェクトＯＢ３６が表示された領域ＡＲ３６のうち、「Ｅｎｇｌｉｓｈ」への使用者の接触を検知する。
【０１６６】
これにより、操作装置１０は、ロックを解除する（ステップＳ３８）。例えば、操作装置１０は、選択された言語により情報が表示される画面に遷移する。図１５の例では、操作装置１０は、操作装置１０−３６の第２ロック画面から、英語で表記された操作装置１０−４の操作画面に表示を遷移させる。このように、操作装置１０は、使用者の言語選択の操作をロック解除の操作と同じ操作で受け付けることができるため、健常者の利便性を向上させつつ、弱視の人による適切な操作を可能にすることができる。なお、上述してきた各実施形態及び変形例は、処理内容を矛盾させない範囲で適宜組み合わせることが可能である。
【０１６７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１６８】
Ｒ  トイレルーム
１  トイレシステム
２  便座装置
３  本体部
３１  通信部
３２  人体検知部
３３  着座検知部
３４  制御部
４  便蓋
５  着座部
６  ノズル部
７  洋式大便器（便器）
８  ボウル部
９  リム部
１０  操作装置
１１  通信部
１２  入力部
１３  表示部
１３１  外周部
１４  記憶部
１５  制御部
１５１  取得部
１５２  判定部
１５３  生成部
１５４  送信部
１６  接触検知部
１７  枠部
【図１】
2020120197.tif 000003
【図２】
2020120197.tif 000004
【図３】
2020120197.tif 000005
【図４】
2020120197.tif 000006
【図５】
2020120197.tif 000007
【図６】
2020120197.tif 000008
【図７】
2020120197.tif 000009
【図８】
2020120197.tif 000010
【図９】
2020120197.tif 000011
【図１０】
2020120197.tif 000012
【図１１】
2020120197.tif 000013
【図１２】
2020120197.tif 000014
【図１３】
2020120197.tif 000015
【図１４】
2020120197.tif 000016
【図１５】
2020120197.tif 000017
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
局部洗浄機能を有する便座装置が備えられたトイレルーム内に設置され、前記便座装置を操作するための操作装置であって、
前記操作装置は、
前記便座装置に対する制御指示に関連する複数のオブジェクトを表示する表示部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
を備え、
前記表示部は、
前記複数のオブジェクトのうち、第１オブジェクトへの前記使用者の接触が前記接触検知部により検知された場合に、前記第１オブジェクトの次に前記使用者に接触させる第２オブジェクト以外の第３オブジェクトを他のオブジェクトに比して透明度が高く表示することを特徴とする操作装置。
【請求項２】
前記表示部は、
前記第３オブジェクトを表示しないことを特徴とする請求項１に記載の操作装置。
【請求項３】
前記送信部は、
前記表示部に表示された第１オブジェクトへの前記使用者の接触が前記接触検知部により検知された場合に、前記第１オブジェクトの次に前記使用者に接触させる第２オブジェクトに関連する前記制御指示以外の前記信号を送信しないことを特徴とする請求項１または請求項２に記載の操作装置。
【請求項４】
前記送信部は、
前記表示部に表示された第１オブジェクトへの前記使用者の接触が前記接触検知部により検知された後に、前記第１オブジェクトの次に前記使用者に接触させる第２オブジェクト以外の第３オブジェクトへの前記使用者の接触が前記接触検知部により検知された場合に、前記第３オブジェクトに関連する前記制御指示の前記信号を送信しないことを特徴とする請求項３に記載の操作装置。